(57)【要約】【課題】暖房運転時に室外熱交換器で発生した結露水を室内加湿に利用する空気調和装置において、暖房性能を低下させることなく加湿用の水を補充することができる空気調和装置を提供する。【解決手段】空気調和装置１は、圧縮機１１と、第１室外熱交換器１３ａと、第２室外熱交換器１３ｂと、室内熱交換器１５と、第１膨張弁１４ａと、第２膨張弁１４ｂと、制御部４と、加湿手段２１とを備えている。第１膨張弁１４ａは、第１室外熱交換器１３ａと室内熱交換器１５との間に配置される。第２膨張弁１４ｂは、第１室外熱交換器１３ａと第２室外熱交換器１３ｂとの間に配置される。加湿手段２１は、結露水を使って室内を加湿する。制御部４は、圧縮機１１から室内熱交換器１５及び第１膨張弁１４ａを経由してくる冷媒を第２膨張弁１４ｂで減圧して、第２室外熱交換器１３ｂの温度を外気の露点温度以下に設定する。【選択図】図１
2008190789.tif 000002
【特許請求の範囲】
【請求項１】
室外熱交換器（１３）と、
前記室外熱交換器（１３）の温度を制御して結露水を発生させる捕水制御を行わせる制御部（４）と、
前記結露水を使って室内を加湿する加湿手段（２１）と、
を備え、
前記制御部（４）は、前記捕水制御時に、前記室外熱交換器（１３）の一部の温度を外気の露点温度以下に設定する、
空気調和装置（１）。
【請求項２】
圧縮機（１１）と、
第１室外熱交換器（１３ａ）と、
第２室外熱交換器（１３ｂ）と、
室内熱交換器（１５）と、
前記第１室外熱交換器（１３ａ）と前記室内熱交換器（１５）との間に配置される第１膨張機構（１４ａ）と、
前記第１室外熱交換器（１３ａ）と前記第２室外熱交換器（１３ｂ）との間に配置される第２膨張機構（１４ｂ）と、
前記第１室外熱交換器（１３ａ）及び前記第２室外熱交換器（１３ｂ）の少なくともいずれか一方の温度を制御し結露水を発生させる捕水制御を行わせる制御部（４）と、
前記結露水を使って室内を加湿する加湿手段（２１）と、
を備え、
前記制御部（４）は、前記捕水制御時に、前記圧縮機（１１）から前記室内熱交換器（１５）及び前記第１膨張機構（１４ａ）を経由してくる冷媒を前記第２膨張機構（１４ｂ）で減圧して、前記第２室外熱交換器（１３ｂ）の温度を外気の露点温度以下に設定する、
空気調和装置（１）。
【請求項３】
流路を切換えることによって前記圧縮機（１１）から出た冷媒を前記室内熱交換器（１５）又は前記第２室外熱交換器（１３ｂ）へ流すことができる四路切換弁（１２）をさらに備え、
前記制御部（４）は、前記捕水制御時に前記第２室外熱交換器（１３ｂ）が着霜した際、前記四路切換弁（１２）で流路を切換えて前記第２室外熱交換器（１３ｂ）に冷媒を流す、
請求項２に記載の空気調和装置（１）。
【請求項４】
前記圧縮機（１１）から出た冷媒を前記第１室外熱交換器（１３ａ）に導くバイパス（１００，２００）と、
前記バイパス（１００，２００）の流路を開閉する開閉弁（４１）と、
をさらに備え、
前記制御部（４）は、前記捕水制御時において、前記室内熱交換器（１５）に冷媒を流通さる必要がない室内熱交換不要時には、前記第１膨張機構（１４ａ）を閉じるとともに前記開閉弁（４１）で前記バイパス（１００，２００）の流路を開き、前記圧縮機（１１）から前記バイパス（１００，２００）を経由してくる冷媒を前記第２膨張機構（１４ｂ）で減圧して、前記第１室外熱交換器（１３ａ）を高圧側熱交換器に、前記第２室外熱交換器（１３ｂ）を低圧側熱交換器にし、前記第２室外熱交換器（１３ｂ）の温度を外気の露点温度以下に設定する、
請求項２に記載の空気調和装置（１）。
【請求項５】
流路を切換えることによって前記圧縮機（１１）から出た冷媒を前記室内熱交換器（１５）又は前記第２室外熱交換器（１３ｂ）へ流すことができる四路切換弁（１２）をさらに備え、
前記制御部（４）は、前記室内熱交換不要時に前記第２室外熱交換器（１３ｂ）が着霜した際、前記四路切換弁（１２）で流路を切換えて前記第２室外熱交換器（１３ｂ）に冷媒を流す、
請求項４に記載の空気調和装置（１）。
【請求項６】
前記第２室外熱交換器（１３ｂ）へ送風するファン（８１）をさらに備え、
前記制御部（４）は、前記室内熱交換不要時に前記第２室外熱交換器（１３ｂ）が着霜した際、前記第２膨張機構（１４ｂ）で冷媒を減圧せずに前記第２室外熱交換器（１３ｂ）に冷媒を流し、前記ファン（８１）で前記第２室外熱交換器（１３ｂ）に送風する、
請求項４に記載の空気調和装置（１）。
【請求項７】
外気温を検出する温度センサ（９３）と、
外気の相対湿度を検出する湿度センサ（９４）と、
をさらに備え、
前記制御部（４）は、前記温度センサ（９３）の検出値と前記湿度センサ（９４）の検出値とから外気の露点温度を算出する、
請求項１、請求項２及び請求項４のいずれか１項に記載の空気調和装置（１）。
【発明の詳細な説明】
【技術分野】
【０００１】
本発明は、空気調和装置に関し、特に、暖房運転時に室内を加湿することができる空気調和装置に関する。
【背景技術】
【０００２】
近年、暖房運転時に室外熱交換器で発生した結露水を室内加湿に利用する空気調和装置が広く普及している（例えば、特許文献１参照）。特許文献１に記載の空気調和装置は、圧縮機、室内熱交換器、第１膨張弁、第１室外熱交換器、第２膨張弁および第２室外熱交換器の順に冷媒が循環する冷媒回路を備えている。冷媒が第１膨張弁で減圧された後さらに第２膨張弁で減圧されることによって、第２室外熱交換器の温度が常に氷点下となり結露水が確実に発生する。外気の露点温度が高い場合には第１室外熱交換器でも結露する。第１室外熱交換器および第２室外熱交換器で発生する結露水は、加湿用の水として貯留され浄化された後にポンプによって加湿手段へ搬送される。
【特許文献１】特開２００２−２１３７８０号公報
【発明の開示】
【発明が解決しようとする課題】
【０００３】
しかしながら、特許文献１に記載の空気調和装置では、第２室外熱交換器が第１室外熱交換器よりも早く着霜するので、第２室外熱交換器の除霜のために暖房運転を休止させなければならない。除霜中でも室内加湿は行なわれるので、除霜時に融解した水を加えても加湿用の水が不足する。また、除霜の繰返しによって空気調和装置の暖房能力が低下する。
【０００４】
本発明の課題は、暖房性能を低下させることなく加湿用の水を補充する空気調和装置を提供することにある。
【課題を解決するための手段】
【０００５】
第１発明に係る空気調和装置は、室外熱交換器と制御部と加湿手段とを備えている。制御部は、室外熱交換器の温度を制御して結露水を発生させる捕水制御を行わせる。加湿手段は、結露水を使って室内を加湿する。そして、制御部は、捕水制御時に、室外熱交換器の一部の温度を外気の露点温度以下に設定する。
【０００６】
この空気調和装置では、室外熱交換器の一部の温度が露点温度以下となって結露水が発生するので、室外熱交換器の温度が常時氷点下となる従来の空気調和装置と比較して、室外熱交換器の着霜が抑制される。このため、除霜回数が減り、暖房能力が低下することなく加湿用の水が補充される。
【０００７】
第２発明に係る空気調和装置は、圧縮機と、第１室外熱交換器と、第２室外熱交換器と、室内熱交換器と、第１膨張機構と、第２膨張機構と、制御部と、加湿手段とを備えている。第１膨張機構は、第１室外熱交換器と室内熱交換器との間に配置される。第２膨張機構は、第１室外熱交換器と第２室外熱交換器との間に配置される。制御部は、第１室外熱交換器及び第２室外熱交換器の少なくともいずれか一方の温度を制御し結露水を発生させる捕水制御を行わせる。加湿手段は、結露水を使って室内を加湿する。そして、制御部は、捕水制御時に、圧縮機から室内熱交換器及び第１膨張機構を経由してくる冷媒を第２膨張機構で減圧して、第２室外熱交換器の温度を外気の露点温度以下に設定する。
【０００８】
この空気調和装置では、第２膨張機構により、第２室外熱交換器の温度が容易に露点温度以下に設定され結露水が発生するので、室外熱交換器の温度が常時氷点下となる従来の空気調和装置と比較して、第２室外熱交換器の着霜が抑制される。このため、除霜回数が減り、暖房能力が低下することなく加湿用の水が補充される。
【０００９】
第３発明に係る空気調和装置は、第２発明に係る空気調和装置であって、四路切換弁をさらに備えている。四路切換弁は、流路を切換えることによって圧縮機から出た冷媒を室内熱交換器又は第２室外熱交換器へ流すことができる。制御部は、捕水制御時に第２室外熱交換器が着霜した際、四路切換弁で流路を切換えて第２室外熱交換器に冷媒を流す。
【００１０】
この空気調和装置では、圧縮機を出た高温の冷媒が第２室外熱交換器に流れるので、短時間で除霜することができる。
【００１１】
第４発明に係る空気調和装置は、第２発明に係る空気調和装置であって、バイパスと開閉弁とを備えている。バイパスは、圧縮機から出た冷媒を第１室外熱交換器に導く。開閉弁は、バイパスの流路を開閉する。制御部は、捕水制御時において、室内熱交換器に冷媒を流通さる必要がない室内熱交換不要時には、第１膨張機構を閉じるとともに開閉弁でバイパスの流路を開き、圧縮機からバイパスを経由してくる冷媒を第２膨張機構で減圧して、第１室外熱交換器を高圧側熱交換器に、第２室外熱交換器を低圧側熱交換器にし、第２室外熱交換器の温度を外気の露点温度以下に設定する。
【００１２】
この空気調和装置では、暖房運転停止時でも第２室外熱交換器で結露水が発生する。その結露水が加湿用の水として補充されるので、加湿用の水が不足することはない。
【００１３】
第５発明に係る空気調和装置は、第４発明に係る空気調和装置であって、四路切換弁をさらに備えている。四路切換弁は、流路を切換えることによって圧縮機から出た冷媒を室内熱交換器又は第２室外熱交換器へ流すことができる。制御部は、室内熱交換不要時に第２室外熱交換器が着霜した際、四路切換弁で流路を切換えて第２室外熱交換器に冷媒を流す。
【００１４】
この空気調和装置では、圧縮機を出た高温の冷媒が第２室外熱交換器に流れるので、短時間で除霜することができる。
【００１５】
第６発明に係る空気調和装置は、第４発明に係る空気調和装置であって、第２室外熱交換器へ送風するファンをさらに備えている。制御部は、室内熱交換不要時に第２室外熱交換器が着霜した際、第２膨張機構で冷媒を減圧せずに第２室外熱交換器に冷媒を流し、ファンで第２室外熱交換器に送風する。
【００１６】
この空気調和装置では、圧縮機を出た高温の冷媒が第２室外熱交換器に流れるので、短時間で除霜することができる。
【００１７】
第７発明に係る空気調和装置は、第１発明、第２発明及び第４発明のいずれか１つに係る空気調和装置であって、外気温を検出する温度センサと外気の相対湿度を検出する湿度センサとをさらに備えている。制御部は、温度センサの検出値と湿度センサの検出値とから外気の露点温度を算出する。
【００１８】
この空気調和装置では、外気の露点温度が精度よく算出されるので、室外熱交換器の温度の目標値が明確になり、効率よく結露水が発生する。
【発明の効果】
【００１９】
第１発明に係る空気調和装置では、室外熱交換器の着霜が抑制されるので、除霜回数が減り、暖房能力が低下することなく加湿用の水が補充される。
【００２０】
第２発明に係る空気調和装置では、第２室外熱交換器の着霜が抑制されるので、除霜回数が減り、暖房能力が低下することなく加湿用の水が補充される。
【００２１】
第３発明に係る空気調和装置では、圧縮機を出た高温の冷媒が第２室外熱交換器に流れるので、短時間で除霜することができる。
【００２２】
第４発明に係る空気調和装置では、暖房運転停止時でも第２室外熱交換器で結露水が発生し加湿用の水として補充されるので、加湿用の水が不足することはない。
【００２３】
第５発明と第６発明に係る空気調和装置では、圧縮機を出た高温の冷媒が第２室外熱交換器に流れるので、短時間で除霜することができる。
【００２４】
第７発明に係る空気調和装置では、外気の露点温度が精度よく算出されるので、室外熱交換器の温度の目標値が明確になり、効率よく結露水が発生する。
【発明を実施するための最良の形態】
【００２５】
以下図面を参照しながら、本発明の実施形態について説明する。なお、以下の実施形態は、本発明の具体例であって、本発明の技術的範囲を限定するものではない。
【００２６】
＜空気調和装置の概略構成＞
図１（ａ）は本発明の実施形態に係る空気調和装置の構成図であり、図１（ｂ）は空気調和装置の暖房運転時、捕水運転時および除霜運転時における各弁の状態表である。図１（ａ）において、空気調和装置１は、圧縮機１１、四路切換弁１２、第１室外熱交換器１３ａ、第２室外熱交換器１３ｂ、第１膨張弁１４ａ、第２膨張弁１４ｂ、室内熱交換器１５及びアキュームレータ２０などの機器が接続されて冷媒回路１０が形成されている。なお、便宜上、第１室外熱交換器１３ａと第２室外熱交換器１３ｂとを総称して室外熱交換器１３とよぶ。冷媒回路１０は、バイパス１００を有している。バイパス１００は、四路切換弁１２の出口（暖房運転時）と第１膨張弁１４ａの出口（暖房運転時）とを結び、途中に電磁開閉弁４１が設けられている。
【００２７】
室内熱交換器１５の近傍には加湿手段２１が配置されており、加湿手段２１は、室内熱交換器１５を通過して室内に吹出される空気に適度の水分を与えている。加湿手段２１が与える水分は、水供給部２６から供給される。水供給部２６は、ホース２２とタンク２３とポンプ２５とを有する。タンク２３内の水は、第１室外熱交換器１３ａ及び第２室外熱交換器１３ｂで発生した結露水を浄化した水であり、その水は、ポンプ２５でくみ上げられホース２２を通って加湿手段２１に搬送される。加湿手段２１は、超音波式加湿器、加熱式加熱器および噴霧式加湿器などから適切に選定される。
【００２８】
空気調和装置１には、温度センサ９１，９２，９３、湿度センサ９４など各種のセンサが設けられている。温度センサ９１は第１室外熱交換器１３ａの温度を検出し、温度センサ９２は第２室外熱交換器１３ｂの温度を検出する。温度センサ９３は、外気温度を検出し、湿度センサ９４は外気の相対湿度を検出する。これらセンサの検出値は制御部４に送られて処理される。
【００２９】
室内ファン６３は、室内熱交換器１５に空気を当てて、室内空気と冷媒との熱交換を活発にする。室外ファン８１は、第１室外熱交換器１３ａ及び第２室外熱交換器１３ｂに空気を当てて、室外空気と冷媒との熱交換を活発にする。本実施形態では、室内熱交換器１５と加湿手段２１と室内ファン６３とは室内ユニット３側にあり、その他は、室外ユニット２側にある。
【００３０】
＜室外ユニット＞
図２は室外ユニットの背面図である。図２において、室外ユニット２の上部には、第１室外熱交換器１３ａ、第２室外熱交換器１３ｂ及びドレンパン３１が配置されている。また、図１で示された圧縮機１１、室外ファン８１なども室外ユニット２の上部に配置されている。ドレンパン３１は、第１室外熱交換器１３ａ及び第２室外熱交換器１３ｂで発生した結露水を受けて、その結露水を室外ユニット２の下部に配置された浄水槽３２に導く。
【００３１】
図３は、タンクの斜視図である。図３において、結露水は、浄水槽３２の入口３２ａから内部に流入する。浄水槽３２で浄化された水は第２電磁弁３４を通ってタンク２３に流入する。タンク２３内の水は、タンク２３の底面からポンプ２５によってくみ上げられて加湿手段２１へ搬送される。
【００３２】
浄水槽３２の下方には、第１電磁弁３３と第２電磁弁３４が接続されている。第１電磁弁３３を通過した水は排水口５１から排出される。第２電磁弁３４を通過した水はタンク２３に入る。タンク２３の底面には、第３電磁弁３５が接続されており、第３電磁弁３５を通過した水は排水口５１から排出される。ポンプ２５は、タンク２３の底面側から水をくみ上げて三方弁３６に送り、三方弁３６から適量の水が加湿手段２１へ供給される。
【００３３】
タンク２３内の水は、殺菌のために紫外線ランプ３７から紫外線が照射されている。紫外線ランプ３７は、タンク２３の上部に取付けられるが、設置が容易であるので作業性がよい。殺菌手段は、紫外線ランプ３７に限定されるものではなく、例えば、オゾン発生器でもよい。
【００３４】
また、空気調和装置１が寒冷地に設置される場合は、タンク２３内の水の凍結を防止するために、ヒーターがタンク２３の近傍、或いはタンク２３内に配置される。ヒーターは常時作動している必要はなく、外気温が氷点下に達したときに作動すればよい。
【００３５】
＜水の循環経路＞
図４は、水の循環経路を示す回路図である。図４において、浄水槽３２の内部は、浄水フィルタ３２３によって第１槽３２１と第２槽３２２とに仕切られており、ドレンパン３１から浄水槽３２に入った水は、先ず、第１槽３２１に貯留され、その後、浄水フィルタ３２３を通過して第２槽３２２に貯留される。水が浄水フィルタ３２３を通過する際には、水中に含まれる不純物が浄水フィルタ３２３によって除去される。このような浄水手段は、大型化せず設置し易い。
【００３６】
第１槽３２１内が満水状態になったときは、第１電磁弁３３が流路を開き排水する。第２槽３２２内の水は、第２電磁弁３４が流路を開いたときにタンク２３内へ流れる。タンク２３が満水状態になったときは、第２電磁弁３４が流路を閉じる。タンク２３内の水が不要になったときは、第３電磁弁３５が流路を開けて排水する。
【００３７】
三方弁３６は、ポンプ２５から送られてくる水を加湿手段２１に供給するだけでなく、必要に応じてその水を浄水槽３２の第２槽３２２へ戻している。水が第２槽３２２に戻されることによって、浄水後の水が、浄水フィルタ３２３を通して第１槽３２１側へ強制的に流されるので、浄水フィルタ３２３が清掃される。即ち、第２槽３２２から第１槽３２１へ水が逆流し、浄水フィルタ３２３の表面に堆積した不純物が第１槽３２１に戻される。このとき、第１電磁弁３３が流路を開けることによって、浄水フィルタ３２３に堆積した不純物を除去しながら第１槽３２１内の水を排出することができる。
【００３８】
＜空気調和装置の動作＞
空気調和装置１は、四路切換弁１２で冷媒の流路を変更することによって冷房運転と暖房運転とを切り替えることができる。本実施形態では、冷媒回路が暖房運転用の回路になっている場合について説明する。
【００３９】
（暖房運転）
暖房運転時、四路切換弁１２は図１の実線で示す流路を成し、圧縮機１１と室内熱交換器１５とが連通する。通常の暖房運転の場合は、第１膨張弁１４ａは絞り状態、第２膨張弁１４ｂは全開状態であるので、室内熱交換器１５が凝縮器となり、第１室外熱交換器１３ａと第２室外熱交換器１３ｂが蒸発器となる。すなわち、圧縮機１１より吐出された高温・高圧の冷媒が室内熱交換器１５に導入され、室内空気と熱交換して温度が低下し、中温・高圧の状態になる。
【００４０】
室内熱交換器１５を出た冷媒は、第１膨張弁１４ａで減圧されて第１室外熱交換器１３ａ及び第２室外熱交換器１３ｂに導入される。ここで、冷媒と室外空気との熱交換が行われ冷媒は吸熱して蒸発する。第２室外熱交換器１３ｂを出た冷媒は、再び圧縮機１１に吸入される。外気の絶対湿度が高い場合は、第１室外熱交換器１３ａと第２室外熱交換器１３ｂで空気中の水分が結露するので、発生した結露水はタンク２３へ貯留される。
【００４１】
（捕水を兼ねた暖房運転）
捕水とは第２室外熱交換器１３ｂの温度を外気の露点温度以下にして空気中に含まれる水分を捕獲することであり、そのための制御を捕水制御という。捕水を兼ねた暖房運転を行なう場合は、第１膨張弁１４ａと第２膨張弁１４ｂは共に絞り状態となる。制御部４のメモリには絶対湿度に対する第２膨張弁１４ｂの絞り量が予め記憶されており、捕水制御時に、制御部４は、温度センサ９３から送られてくる外気温度の検出値と湿度センサ９４から送られてくる相対湿度の検出値とから外気の絶対湿度を算出し、適切な絞り量を求めて第２膨張弁１４ｂを制御する。
【００４２】
圧縮機１１より吐出された高温・高圧の冷媒が室内熱交換器１５に導入され、室内空気と熱交換して温度が低下し、中温・高圧の状態になる。室内熱交換器１５を出た冷媒は、第１膨張弁１４ａで減圧されて第１室外熱交換器１３ａに導入され吸熱する。第１室外熱交換器１３ａを出た冷媒は、第２膨張弁１４ｂでさらに減圧されて第２室外熱交換器１３ｂに導入される。
【００４３】
制御部４は、第２膨張弁１４ｂを制御して、第２室外熱交換器１３ｂの温度を外気の露点温度以下に設定する。したがって、冷媒の蒸発温度が外気の露点温度を下回り、空気中の水分が第２室外熱交換器１３ｂで確実に結露する。発生した結露水はタンク２３へ貯留される。第２室外熱交換器１３ｂを出た冷媒は、再び圧縮機１１に吸入される。
【００４４】
（暖房運転停止時の捕水運転）
本実施形態では、捕水のためだけに冷媒を循環させて上述の捕水制御を行う捕水運転がある。例えば、空気調和装置１が暖房運転を停止し室内熱交換器１５での熱交換が不要なときに、冷媒回路１０のバイパス１００を使用して捕水運転を行う。図１（ｂ）に示すように、通常の暖房運転から捕水運転に切り換えるときは、第１膨張弁１４ａを閉じて、第２膨張弁１４ｂを絞り、バイパス１００の電磁開閉弁４１を開ける。また、捕水を兼ねた暖房運転から捕水運転に切り換える場合は、第１膨張弁１４ａを閉じて、バイパス１００の電磁開閉弁４１を開ける。
【００４５】
これによって、圧縮機１１より吐出された高温・高圧の冷媒が、四路切換弁１２を経てバイパス１００に入り、電磁開閉弁４１を通過して第１室外熱交換器１３ａに導入される。冷媒は、第１室外熱交換器１３ａで放熱して温度が低下し、中温・高圧の状態になる。第１室外熱交換器１３ａを出た冷媒は、第２膨張弁１４ｂで減圧されて第２室外熱交換器１３ｂに導入される。このとき、制御部４は、第２膨張弁１４ｂを制御して第２室外熱交換器１３ｂの温度を外気の露点温度以下に設定する。このため、冷媒の蒸発温度が外気の露点温度を下回り、第２室外熱交換器１３ｂは確実に結露する。発生した結露水はタンク２３へ貯留される。第２室外熱交換器１３ｂを出た冷媒は、再び圧縮機１１に吸入される。
【００４６】
（除霜運転）
第２室外熱交換器１３ｂが着霜し、除霜運転を行なうときは、四路切換弁１２を冷房側の流路（点線の流路）に切り換え、第１膨張弁１４ａを閉じ、第２膨張弁１４ｂを絞り、バイパス１００の電磁開閉弁４１を開ける。これによって、圧縮機１１より吐出された高温・高圧の冷媒が、四路切換弁１２を経て第２室外熱交換器１３ｂに導入される。冷媒は、第２室外熱交換器１３ｂで放熱して除霜し、除霜によって発生した水はタンク２３へ貯留される。
【００４７】
冷媒は、第２室外熱交換器１３ｂで放熱して中温・高圧の状態になり、第２膨張弁１４ｂで減圧されて第１室外熱交換器１３ａに導入される。このとき、制御部４は、第２膨張弁１４ｂを制御して、第１室外熱交換器１３ａの温度を外気の露点温度以下に設定する。したがって、除霜運転のときも第１室外熱交換器１３ａで結露水が発生するので、その結露水は、第２室外熱交換器１３ｂの除霜で発生する水と合わせて加湿用の水として補充される。第１室外熱交換器１３ａを出た冷媒は、バイパス１００に入り、電磁開閉弁４１を通過し四路切換弁１２を経て再び圧縮機１１に吸入される。
【００４８】
＜変形例＞
次に、上記の除霜運転とは異なる除霜運転を行なう本実施形態の変形例について、図面を参照しながら説明する。なお、上記実施形態と同じ構成部品については、同様の符号を付し説明を省略する。また、通常の暖房運転、捕水を兼ねた暖房運転および捕水運転については、上記実施形態と同様であるので説明を省略する。
【００４９】
図５（ａ）は本実施形態の変形例に係る空気調和装置の構成図であり、図５（ｂ）は空気調和装置の暖房運転時、捕水運転時および除霜運転時における各弁の状態表である。図５（ａ）において、冷媒回路１０は、バイパス２００を有している。バイパス２００は、圧縮機１１の出口と第１膨張弁１４ａの出口（暖房運転時）とを結び、途中に電磁開閉弁４１が設けられている。
【００５０】
（除霜運転）
第２室外熱交換器１３ｂが着霜し、暖房運転を除霜運転に切り換えるときは、第１膨張弁１４ａを閉じて、第２膨張弁１４ｂを全開にし、バイパス２００の電磁開閉弁４１を開ける。このとき、四路切換弁１２は暖房側の流路（実線の流路）のままである。これによって、圧縮機１１より吐出された高温・高圧の冷媒が、バイパス２００に入り、電磁開閉弁４１を通過して第１室外熱交換器１３ａに導入される。このとき、第１室外熱交換器１３ａと第２室外熱交換器１３ｂとの間にある第２膨張弁１４ｂは既に全開となっているので、冷媒は減圧されることなく高温のまま第２室外熱交換器１３ｂへ流れ、第２室外熱交換器１３ｂは除霜される。制御部４は、冷媒が短時間で放熱するように室外ファン８１を動作させ、第１室外熱交換器１３ａと第２室外熱交換器１３ｂでの熱交換を活発にする。除霜によって発生した水はタンク２３へ貯留される。第２室外熱交換器１３ｂを出た冷媒は、四路切換弁１２を経て再び圧縮機１１に吸入される。
【００５１】
＜特徴＞
（１）
空気調和装置１は、圧縮機１１から出た高温の冷媒を第１室外熱交換器１３ａに流すバイパス１００を備えている。第２膨張弁１４ｂは、第１室外熱交換器１３ａと第２室外熱交換器１３ｂとの間に配置されている。空気調和装置１では、暖房運転停止時に、圧縮機１１、バイパス１００、第１室外熱交換器１３ａ、第２膨張弁１４ｂ及び第２室外熱交換器１３ｂの順で冷媒が循環する。冷媒は、第２膨張弁１４ｂで減圧されるので、第１室外熱交換器１３ａが高圧側に、第２室外熱交換器１３ｂが低圧側になり、第２室外熱交換器１３ｂで結露水が発生する。その結露水が加湿用の水として補充されるので、加湿用の水が不足することはない。
【００５２】
（２）
空気調和装置１では、制御部４が第２膨張弁１４ｂを制御して第２室外熱交換器１３ｂの温度を外気の露点温度以下に設定する。このため、室外熱交換器の温度が常時氷点下となる従来の空気調和装置と比較して除霜の回数が減る。このため、暖房能力の低下が抑制される。
【００５３】
（３）
空気調和装置１は、第２室外熱交換器１３ｂで着霜したときは、第２室外熱交換器１３ｂに高温冷媒を流通させるので、短時間で除霜することができる。
【産業上の利用可能性】
【００５４】
以上のように、本発明によれば、結露水を加湿用の水として常に補充することができるので、無給水加湿を行う空気調和装置に有用である。
【図面の簡単な説明】
【００５５】
【図１】（ａ）本発明の実施形態に係る空気調和装置の構成図。（ｂ）同空気調和装置の暖房運転時、捕水運転時および除霜運転時における各弁の状態表。
【図２】室外ユニットの背面図。
【図３】タンクの斜視図。
【図４】水の循環経路を示す回路図。
【図５】（ａ）本発明の実施形態の変形例に係る空気調和装置の構成図。（ｂ）同空気調和装置の暖房運転時、捕水運転時および除霜運転時における各弁の状態表。
【符号の説明】
【００５６】
１  空気調和装置
４  制御部
１１  圧縮機
１２  四路切換弁
１３  室外熱交換器
１３ａ  第１室外熱交換器
１３ｂ  第２室外熱交換器
１４ａ  第１膨張弁
１４ｂ  第２膨張弁
１５  室内熱交換器
２１  加湿手段
４１  電磁開閉弁
８１  室外ファン
９３  温度センサ
９４  湿度センサ
１００，２００  バイパス
【図１】
2008190789.tif 000003
【図２】
2008190789.tif 000004
【図３】
2008190789.tif 000005
【図４】
2008190789.tif 000006
【図５】
2008190789.tif 000007